(57)【特許請求の範囲】
【請求項１】
通音孔を有したカバーをスピーカの前方に配するようにして、上記スピーカと電子部品を実装した回路基板とをボディとカバーとの間に収容させた構造のドアホン装置であって、
上記スピーカの突出した後部が挿通される挿通孔を有した雨水浸入防止板を備え、該挿通孔を挿通した上記スピーカの後部を上記回路基板に設けた装着孔に装着した構造とされ、
上記雨水浸入防止板の挿通孔には、上記スピーカの後部を突出させた状態で該スピーカの裏面に当接する周縁壁が突設されていることを特徴とするドアホン装置。
【請求項２】
請求項１において、
上記雨水浸入防止板は、その下端が上記回路基板よりも下方に延出していることを特徴とするドアホン装置。
【請求項３】
請求項１または２において、
上記雨水浸入防止板は、上記周縁壁の直下からドアホン装置の下方に延び、下端に水抜口を設けた雨水ガイド板を突設しているドアホン装置。
【発明の詳細な説明】
【技術分野】
【０００１】
本発明は、住居の門柱や玄関先に設置するドアホン装置に関するものである。
【背景技術】
【０００２】
インターホンシステムで使用されるドアホン装置は屋外の門柱や玄関先に設置されるが、屋外であるため雨に晒されやすいため、装置内に雨水などの水分が容易に浸入しない構造が必要とされる。
そのため、装置のボディとカバーとの接合を強固にし、あるいは化粧カバーケースによって２重構造にするなどしているが、スピーカの通音孔やマイクの集音孔があるため、水の浸入を完全に防止することはできない。
【０００３】
また、屋外では温度変化が大きいため装置内に結露が発生することがある。そのため、たとえ雨水の浸入を防止できても、回路基板や電気部品に水分が付着し、通話不良や呼出不良などの不具合が発生するおそれがある。特に、傾斜壁面に装置を少し寝かせて設置した場合には、内壁の結露水分が回路基板等に垂れ落ちることもある。
【０００４】
次の特許文献では、回路基板に結露が生じる前に結露水分を付着させる金属を装置内の種々の箇所に設けたドアホン装置が提案されている。
【０００５】
図５は、この文献に提案されているドアホン装置の断面図を示したものである。図中、１００はドアホン装置、１０１はボディ、１０２はカバー、１０３はスピーカ、１０４はマイク、１０５は通音孔、１０６は集音孔、１０７は回路基板、１０８は回路基板取付台、１０９ａ、１０９ｂは結露付着部材である金属片である。
【０００６】
図示するように、回路基板１０７を装置１００内の中央の空間に配置し、金属片１０９ａ、１０９ｂをボディ１０１、カバー１０２の内壁に設けているので、外気温度が下がり装置１００が冷やされた場合には、金属片１０９ａ、１０９ｂは回路基板１０７よりも早く温度が下がり、回路基板１０７に結露が生じる前に結露が生じ、そのため、回路基板１０７には結露が発生しにくくなる。
【特許文献１】実開平７−２０７４１号公報
【発明の開示】
【発明が解決しようとする課題】
【０００７】
しかしながら、上記文献のドアホン装置構造では、装置１００内の空間では回路基板１０７が全く無防備であり、例えば装置１００を傾斜壁面に設置するような場合には、金属片１０９ａ、１０９ｂに付着した水滴が滴下して回路基板１０７の表面を濡らしてしまうおそれがある。また、スピーカ１０３の通音孔１０５から入ってくる雨水などが回路基板１０７に付着することを防ぐことはできない。
【０００８】
本発明は、このような事情を考慮して提案されたもので、その目的は、カバーの通音孔から浸入してくる雨水や装置内で発生した結露水から回路基板を防護できるドアホン装置を提供することにある。
【０００９】
なお、本発明の対象は、図５に示すような回路基板とスピーカが分離された構造のものに限られず、スピーカの後部を回路基板に設けた孔に嵌着して薄型に形成したドアホン装置にも適用可能である。
【課題を解決するための手段】
【００１０】
上記目的を達成するために、請求項１に記載のドアホン装置は、通音孔を有したカバーをスピーカの前方に配するようにして、スピーカと電子部品を実装した回路基板をボディとカバーの間に収容させた構造のドアホン装置であって、スピーカの突出した後部が挿通される挿通孔を有した雨水浸入防止板を備え、該挿通孔を挿通した上記スピーカの後部を回路基板に設けた装着孔に装着した構造とされ、雨水浸入防止板の挿通孔には、スピーカの後部を突出させた状態でスピーカの裏面に当接する周縁壁が突設されていることを特徴とする。
【００１１】
請求項２では、雨水浸入防止板は、その下端が回路基板よりも下方に延出していることを特徴とする。
【００１２】
（削除）
【００１３】
請求項３では、雨水浸入防止板は、上記周縁壁の直下からドアホン装置の下方に延び、下端に水抜口を設けた雨水ガイド板を突設していることを特徴とする。
【発明の効果】
【００１４】
請求項１に記載のドアホン装置は、回路基板とスピーカとの間に雨水浸入防止板を介在させているため、カバーの通音孔を通じてスピーカに入り込んできた雨水が回路基板に浸入することを防止できる。
また、このドアホン装置は、スピーカの突出した後部が挿通される挿通孔を有した雨水浸入防止板を備え、その挿通孔を挿通したスピーカの後部を回路基板に設けた装着孔に装着した構造となっている。すなわち、スピーカの後部は雨水浸入防止板よりも回路基板側に突出した構造となっているが、挿通孔には周縁壁を突設させているため、水分がスピーカの裏面側に回り込んでも、回路基板への浸入を阻止することができる。
【００１５】
請求項２に記載のドアホン装置は、雨水浸入防止板の下端が回路基板よりも下方に延出しているため、雨水浸入防止板に付着した水分が滴下しても回路基板に浸入することはほとんどない。
【００１６】
（削除）
【００１７】
請求項３に記載のドアホン装置は、雨水浸入防止板が、周縁壁の直下からドアホン装置の下方に延び、下端に水抜口を設けた雨水ガイド板を突設しているため、スピーカに雨滴が付着しても、その直下の雨水ガイド板で雨水が受け止められ、さらにドアホン装置の下方向へ誘導され、その下端に設けた水抜口から排出される。そのため、回路基板側への浸水を防止することができる。
【発明を実施するための最良の形態】
【００１８】
以下に、本発明の実施形態について添付図面とともに説明する。
【実施例１】
【００１９】
図１は、本発明のドアホン装置の分解斜視図である。また、図２は本発明のドアホン装置の内部構造を示した斜視図である。なお図３（ａ）〜（ｃ）はそれぞれ、化粧カバーケースを取り付けた状態の正面図、側面図、平面図を示している。
【００２０】
このドアホン装置２０は、屋内に設置したインターホン親機（不図示）と信号線（不図示）により接続され、その住居を訪問した者が屋内の住人と通話できるように屋外の玄関先などに設置されるものである。
【００２１】
以下に、このドアホン装置２０の内部構造について、図１、図２を参照しながら説明する。なお、図１では装置前面を覆った化粧カバーケース７の図示を省略し、図２ではさらにスピーカ３、カバー４の図示を省略している。
【００２２】
ドアホン装置２０は、スピーカ３と、押ボタンスイッチ６と、電子部品２ａを実装した回路基板２とをボディ１とカバー４との間の空間に収容し、通音孔４ａを有したカバー４をスピーカ３の前方に配するようにして、そのカバー４をボディ１に結合した構造となっている。そしてさらに、通音孔７ａ、集音孔７ｂ、スイッチ窓７ｃを設けた化粧カバーケース７がカバー４を覆うように取り付けられる（図３参照）。
なお、図中の４ｂはカバー４に設けた通話用の集音孔、４ｃはスイッチ孔である。また、９は押ボタンスイッチ６を化粧カバーケース７のスイッチ窓７ｃより突出支持させておく（図３参照）ためのバネである。
【００２３】
本発明では図示するように、ドアホン装置２０は雨水浸入防止板５をさらに含んだ構造となっている。この雨水浸入防止板５は、少なくとも撥水性を有した樹脂等の素材で製されており、この防止板５によって、カバー４の通音孔４ａからスピーカ３に入り込んでくる雨水が回路基板２へ浸入することを防止している。
【００２４】
本実施例で示したドアホン装置２０は、スピーカ３の後方に突出した後部３ａ（後述する図４を参照）を、回路基板２に設けた装着孔２ｂに嵌着させることによって装置の薄型化を図ったものであり、雨水浸入防止板５にもスピーカ３の後部３ａを挿通させるための挿通孔５ａが開設されており、さらにその挿通孔５ａには前方に向けて周縁壁５ｂが突設され、その周縁壁５ｂがスピーカ３の周縁３ｄ（図４参照）あるいは周縁リング（不図示）を接面させた構造となっている。
【００２５】
なお、ドアホン装置２０の組立ては次のようにして行う。すなわち、事前に雨水浸入防止板５に対しスピーカ３と押ボタンスイッチ６を所定位置に設置し、その状態で防止板５をカバー４にビス８止めして一体化し、その後方に突き出たスピーカ３の後部３ａと回路基板２の装着孔２ｂとを嵌め合わせて、カバー４とボディ１とをネジで固着させる。
【００２６】
以上のような装置構成によれば、雨水浸入防止板５が設けてあるため、回路基板２側への雨水の浸入を防止でき、そのため回路基板２や実装した電子部品２ａが水によって腐蝕することを防止できる。
また、薄型化のために雨水浸入防止板５に挿通孔５ａが開設されていても、スピーカ３の裏面側に回り込んだ雨水は周縁壁５ｂによって堰き止められるため、雨水が挿通孔５ａを通じて回路基板２に浸入することを防止することができる。
【００２７】
さらに雨水浸入防止板５には、周縁壁５ｂの直下からドアホン装置２０の下方に延び、下端に水抜口５ｄを設けた雨水ガイド板５ｃを前方に向けて突設させている。
これにより、スピーカ３より滴下する雨水は、雨水ガイド板５ｃによりドアホン装置２０の下方向に誘導され、下端に設けた水抜口５ｄから装置の外に落下する。そのため、スピーカ３に雨水が入り込んでも回路基板２に浸入するおそれはほとんどない。
【００２８】
また、この雨水浸入防止板５は、その周縁には下端を除いて、前方に向けリブ壁５ｅを突設させている。このリブ壁５ｅによって、通音孔４ａから浸入してきた雨水が雨水浸入防止板５の両サイドから回路基板２側へ浸入することを防止している。
【００２９】
（削除）
【００３０】
図４は、上記ドアホン装置２０の部分縦断面図である。本図により、雨水浸入防止板５による雨水の浸入防止構造を詳細に説明する。
なお本図は、カバー４、スピーカ３、雨水浸入防止板５、回路基板２の位置関係を主に示したものであるため、化粧カバーケース７やボディ１、回路基板２に実装された電子部品２ａ、雨水浸入防止板５上の他の構成部分などの詳細構成については図示を省略している。
【００３１】
スピーカ３の後部３ａは、雨水浸入防止板５の挿通孔５ａに挿通され、回路基板２の装着孔２ｂに嵌着される一方、スピーカ３のコーン部３ｂは、カバー４に設けた通音孔４ａと向き合うように、かつコーン部３ｂの前方周縁部３ｃがカバー４の内壁に当接されるように配され、さらにスピーカ３の後方周縁部３ｄは、雨水浸入防止板５の挿通孔５ａの周縁壁５ｂと接面し、それによって支持されている。
また、図示するような、スピーカ３を雨水浸入防止板５と回路基板２に挿通、嵌着させた状態では、雨水浸入防止板５の下端５ｆは回路基板２よりも下方に延出した状態となる。
【００３２】
以上のような構造のドアホン装置２０では、雨水が化粧カバーケース７（図３参照）、カバー４のそれぞれの通音孔７ａ、４ａを通過して装置内に入り込み、さらにカバー４とスピーカ３との接合部Ａから漏れ出てくると、その雨水はカバー４と雨水浸入防止板５との間の空間Ｂに入り込むが、雨水浸入防止板５を備えているため回路基板２側への浸入は阻止される。またスピーカ３の裏面側に回り込んでくる雨水は、雨水浸入防止板５の周縁壁５ｂによって堰き止められるため、雨水が挿通孔５ａを通って回路基板２まで侵入することはほとんどない。
【００３３】
特に、ドアホン装置２０を傾斜壁面に取り付けた場合には、通音孔４ａから雨水が入りやすくなるが、上記のような装置構成によれば、そのような場合でも回路基板２が水で濡れる心配はない。
さらに、雨水浸入防止板５の下端が回路基板２よりも下方に延出しているため、傾斜壁面の取り付けた場合でも、雨水浸入防止板５より流れ落ちる水が回路基板２側に入り込むことはない。
また、ドアホン装置２０は屋外に設置するため温度差によりカバー４の内壁等に結露が発生するが、傾斜によって滴下する結露の水滴も、雨水浸入防止板５やその周縁壁５ｂによってスピーカ３裏面側への浸入が阻止される。
【図面の簡単な説明】
【００３４】
【図１】本発明のドアホン装置の一例を示した分解斜視図である。
【図２】本発明のドアホン装置の内部構造を示した斜視図である。
【図３】（ａ）〜（ｃ）はそれぞれ、化粧カバーケースを取り付けた状態のドアホン装置の正面図、側面図、平面図である。
【図４】本発明のドアホン装置の部分縦断面図である。
【図５】従来のドアホン装置の縦断面図である。
【符号の説明】
【００３５】
２０      ドアホン装置
１      ボディ
２      回路基板
２ａ      電子部品
２ｂ      装着孔
３      スピーカ
３ａ      スピーカの後部
３ｂ      コーン部
３ｃ      前方周縁部
３ｄ      後方周縁部
４      カバー
４ａ      通音孔
５      雨水浸入防止板
５ａ      挿通孔
５ｂ      周縁壁
５ｃ      雨水ガイド板
５ｄ      水抜口
【図１】
0004682800.tif 000002
【図２】
0004682800.tif 000003
【図３】
0004682800.tif 000004
【図４】
0004682800.tif 000005
【図５】
0004682800.tif 000006